(57)【特許請求の範囲】
【請求項１】
基台と、この基台に対して剥離可能に装着されたシート状の経時表示装置と、を備え、
前記基台は、
基台側端子部と、
この基台側端子部と電気的に接続され、前記基台側端子部を介して前記経時表示装置に対して電力を供給するための基台側電源供給手段と、を備え、
前記経時表示装置は、
外部対象物に貼着可能な貼着層を有するとともに、
表示手段と、
前記基台側端子部に対応して設けられ前記基台側端子部と接続可能である装置側端子部と、
この装置側端子部と電気的に接続され、前記経時表示装置が前記基台に装着された状態において前記基台側電源供給手段から供給される電力により充電可能である装置側電源供給手段と、
前記経時表示装置が前記基台から剥離されたか否かを検知する剥離検知手段と、
この剥離検知手段により前記経時表示装置が前記基台から剥離されたと検知された時点から計時を開始する計時手段と、
この計時手段によって計時された結果に基づいて前記表示手段の表示を制御し、前記経時表示装置が前記基台から剥離されてからの経過時間又は経過期間を表す表示を前記表示手段に表示させる表示制御手段と、を備えていることを特徴とする貼着式経時表示ユニット。
【請求項２】
前記経時表示装置を複数備えており、
前記基台は、前記経時表示装置の数に対応して複数の基台側端子部を備え、
これら複数の基台側端子部は、全て前記基台側電源供給手段と電気的に接続されていることを特徴とする請求項１に記載の貼着式経時表示ユニット。
【請求項３】
前記貼着層は、前記外部対象物に接着可能に構成された接着剤層であることを特徴とする請求項１又は請求項２に記載の貼着式経時表示ユニット。
【請求項４】
前記経時表示装置は、予め経時表示可能な経過時間又は経過期間が設定され、前記経時表示装置が前記基台上に装着されている初期状態において、前記表示手段には前記経時表示可能な経過時間又は経過期間が表示されており、
前記表示制御部は、前記経時表示装置が前記基台から剥離されてから前記経時表示可能な経過時間又は経過期間が経過するまでの時間又は期間を前記表示手段に減算表示させるものであることを特徴とする請求項１から請求項３のいずれか一項に記載の貼着式経時表示ユニット。
【発明の詳細な説明】
【技術分野】
【０００１】
本発明は、貼着式経時表示ユニットに関するものである。
【背景技術】
【０００２】
従来、資料作成の締切日やノート等の提出期限、食料品の賞味期限等は、ユーザが期限日等を手書きで記録し、管理することが一般的であった。しかし、単に紙等に書いただけでは忘れやすく、また、期限日等までにどのくらいの期間があるかについてはカレンダー等を参照して確認することが必要となり、煩わしい。そこで、期限日までどのくらいの期間があるかを自動的にカウントしてくれる装置が望まれる。
【０００３】
この点、特許文献１には、時計を小型化、薄型化して対象物に接着できるように構成し、ユーザが身の回りの小物等に貼り付けて使用できるようにすることが記載されており、この時計にタイマ機能をもたせることが開示されている。
【先行技術文献】
【特許文献】
【０００４】
【特許文献１】実用新案登録第３１０４３９１号公報
【発明の概要】
【発明が解決しようとする課題】
【０００５】
しかしながら、特許文献１に記載の構成は、通常のタイマ機能付きの時計を対象物に接着できるようにしたものであるため、ユーザがこれを期限管理のために用いようとする場合には、期限管理したい対象物に当該時計を貼り付けた上で、ユーザ自身がタイマを設定し、作動させることが必要となる。このような設定作業はユーザにとって手間がかかり、煩わしいとの問題がある。
【０００６】
また、特許文献１に記載の時計に備えられているタイマ機能は、一般的な時計に備えられているタイマ機能と同様にあくまでも時分秒単位での使用を想定したものであり、例えばキッチンタイマーのように用いることはできるとしても、会議資料の締切期限やノート等の提出期限、食料品の賞味期限等のように、期限までに１日以上あるような場合には適用することができない。
【０００７】
本発明は、以上のような事情に鑑みてなされたものであり、ユーザの手を煩わせることなく簡易に期限日及びそれまでの期間等を確認することができ、ユーザが視覚的に確実に対象物の期限管理を行うことができる貼着式経時表示ユニットを提供することを目的としている。
【課題を解決するための手段】
【０００８】
前記課題を解決するために、請求項１に記載の貼着式経時表示ユニットは、
基台と、この基台に対して剥離可能に装着されたシート状の経時表示装置と、を備え、
前記基台は、
基台側端子部と、
この基台側端子部と電気的に接続され、前記基台側端子部を介して前記経時表示装置に対して電力を供給するための基台側電源供給手段と、を備え、
前記経時表示装置は、
外部対象物に貼着可能な貼着層を有するとともに、
表示手段と、
前記基台側端子部に対応して設けられ前記基台側端子部と接続可能である装置側端子部と、
この装置側端子部と電気的に接続され、前記経時表示装置が前記基台に装着された状態において前記基台側電源供給手段から供給される電力により充電可能である装置側電源供給手段と、
前記経時表示装置が前記基台から剥離されたか否かを検知する剥離検知手段と、
この剥離検知手段により前記経時表示装置が前記基台から剥離されたと検知された時点から計時を開始する計時手段と、
この計時手段によって計時された結果に基づいて前記表示手段の表示を制御し、前記経時表示装置が前記基台から剥離されてからの経過時間又は経過期間を表す表示を前記表示手段に表示させる表示制御手段と、を備えていることを特徴とする貼着式経時表示ユニットである。
【０００９】
請求項２に記載の発明は、請求項１に記載の貼着式経時表示ユニットにおいて、
前記経時表示装置を複数備えており、
前記基台は、前記経時表示装置の数に対応して複数の基台側端子部を備え、
これら複数の基台側端子部は、全て前記基台側電源供給手段と電気的に接続されていることを特徴とする貼着式経時表示ユニットである。
【００１０】
請求項３に記載の発明は、請求項１又は請求項２に記載の貼着式経時表示ユニットにおいて、
前記貼着層は、前記外部対象物に接着可能に構成された接着剤層であることを特徴としている。
【００１１】
請求項４に記載の発明は、請求項１から請求項３のいずれか一項に記載の貼着式経時表示ユニットにおいて、
前記経時表示装置は、予め経時表示可能な経過時間又は経過期間が設定され、前記経時表示装置が前記基台上に装着されている初期状態において、前記表示手段には前記経時表示可能な経過時間又は経過期間が表示されており、
前記表示制御部は、前記経時表示装置が前記基台から剥離されてから前記経時表示可能な経過時間又は経過期間が経過するまでの時間又は期間を前記表示手段に減算表示させるものであることを特徴としている。
【発明の効果】
【００１２】
この発明によれば、経時表示装置を基台から剥離するだけで計時手段による計時が開始され、計時手段によって計時された結果に基づいて、経時表示装置が基台から剥離されてからの経過時間又は経過期間を表す表示が表示手段に表示される。このため、ユーザがスイッチ操作等を行うことなく、簡易に経過時間又は経過期間を経時表示装置に表示させて確認することができる。
また、経時表示装置は、外部対象物に貼着可能な貼着層を有しているため、提出期限のある書類や賞味期限のある食料品等、ユーザが経過時間又は経過期間を知りたい外部対象物に経時表示装置を貼着するだけで、容易に期限管理等を行うことが可能となるとの効果を奏する。
【図面の簡単な説明】
【００１３】
【図１】本発明に係る貼着式経時表示ユニットの一実施形態を示す斜視図である。
【図２】図１に示す貼着式経時表示ユニットを表面側から見た平面図である。
【図３】（Ａ）は、図２の貼着式経時表示ユニットから３つの経時表示シートを取り外した状態を示した平面図であり、（Ｂ）は、貼着式経時表示ユニットから取り外された経時表示シートの一例を示す平面図である。
【図４】図１のIV-IV線に沿う断面図である。
【図５】図１のV-V線に沿う断面図である。
【図６】（Ａ）は、経時表示シートを表面から見た状態の一例を示す平面図であり、（Ｂ）は、経時表示シートの内部構成を示す平面図である。
【図７】図４に示す貼着式経時表示ユニットの基台から経時表示シートを剥離した状態を示す断面図である。
【図８】本実施形態における経時表示シートの制御構成を示すブロック図である。
【図９】本実施形態における経時表示シートの経時表示処理を示すフローチャートである。
【図１０】貼着式経時表示ユニットの基台から１枚の経時表示シートを剥離した状態を示す説明図である。
【図１１】（Ａ）は、基台から剥離された経時表示シートを示す平面図であり、（Ｂ）は、（Ａ）に示す経時表示シートの残日数が「３日」となった状態を示す平面図であり、（Ｃ）は、残日数が「０日」となった経時表示シートを示す平面図である。
【図１２】（Ａ）は、経時表示シートの一変形例の内部構成を示す平面図であり、（Ｂ）は、経時表示シートの一変形例の外観を示す平面図である。
【図１３】（Ａ）は、貼着式経時表示ユニットの一変形例から１枚の経時表示シートを剥離した状態を示す平面図であり、（Ｂ）は、（Ａ）に示す経時表示シートの残日数が「４日」となった状態を示す平面図であり、（Ｃ）は、残日数が「０日」となった経時表示シートを示す平面図である。
【発明を実施するための形態】
【００１４】
以下、図面を参照しつつ、本発明に係る貼着式経時表示ユニットの好適な実施形態について具体的に説明する。
【００１５】
図１は、本実施形態における貼着式経時表示ユニットを示す斜視図であり、図２は、図１に示す貼着式経時表示ユニットを表面側から見た平面図であり、図３（Ａ）は、図２の貼着式経時表示ユニットから３つの経時表示シートを取り外した状態を示した平面図であり、図３（Ｂ）は、貼着式経時表示ユニットから取り外された経時表示シートの一例を示す平面図である。また、図４は、図１のIV-IV線に沿う断面図であり、図５は、図１のV-V線に沿う断面図である。
【００１６】
図１から図５に示すように、貼着式経時表示ユニット１は、基台２と、基台上に剥離可能に装着された経時表示装置としての複数の経時表示シート４を備えている。なお、図２では、基台２上に３つの経時表示シート４（図２等において、経時表示シート４ａから４ｃ）が配置されている例を示しているが、基台２上に配置される経時表示シート４の数はこれに限定されない。さらに多くの経時表示シート４が配置されていてもよいし、経時表示シート４が１つだけ配置されているものでもよい。また、本実施形態において単に「経時表示シート４」というときは、「経時表示シート４ａから４ｃ」の全てを指すものとする。
【００１７】
基台２は、例えばプラスチック（合成樹脂）等で形成された板状の部材である。なお、基台２を形成する材料は特に限定されない。
基台２には、基台側電源２１と、この基台側電源２１と電気的に接続される複数の基台側端子部２２とが設けられている。
【００１８】
基台側電源２１は、基台側端子部２２と電気的に接続され、この基台側端子部２２を介して、経時表示シート４のシート側電源４１に電力を供給するための基台側電源供給手段である。
基台側電源２１は、基台２に設けられている電源収容部２３に収容されており（図２、図４、図５参照）、この電源収容部２３に収容された状態において全ての基台側端子部２２と電気的に接続されるようになっている。
すなわち、図３（Ａ）に示すように、基台２の内部であって基台側電源２１と各基台側端子部２２との間には、プラス極側の基台側端子部２２a同士をつなぐプラス側リード線２４ａと、マイナス極側の基台側端子部２２ｂ同士をつなぐマイナス側リード線２４ｂとが設けられており、プラス側リード線２４ａの一端部は、電源収容部２３において基台側電源２１のプラス極と接続され、マイナス側リード線２４ｂの一端部は、電源収容部２３において基台側電源２１のマイナス極と接続されるようになっている。
基台側電源２１としては、例えば、マンガン乾電池、アルカリ乾電池、ニッケル系一次電池等の乾電池や、アルカリボタン電池、酸化銀電池、空気亜鉛電池等のボタン電池、リチウム電池等の一次電池が適用される。なお、基台側電源２１はここに例示したものに限定されず、充電可能な二次電池や太陽電池等が用いられてもよい。
【００１９】
基台側端子部２２は、経時表示シート４が基台２に装着された状態において後述する経時表示シート４のシート側端子部４２と電気的に接続される端子部である。
基台側端子部２２は、基台側電源２１のプラス極側と接続されるプラス極側の基台側端子部２２aと、基台側電源２１のマイナス極側と接続されるマイナス極側の基台側端子部２２ｂとが一対で１組となっており、この基台側端子部２２の組が、基台２に装着される経時表示シート４の数に応じて複数組設けられている。なお、本実施形態において単に「基台側端子部２２」というときは、「プラス極側の基台側端子部２２a」「マイナス極側の基台側端子部２２ｂ」の双方を含むものとする。
本実施形態では、３つの経時表示シート４（経時表示シート４ａから４ｃ）に応じて３組６つの基台側端子部２２が、各経時表示シート４のシート側端子部４２に対応する位置にそれぞれ配置されている。
前述のように、プラス極側の基台側端子部２２a同士はプラス側リード線２４ａにより、マイナス極側の基台側端子部２２ｂ同士はマイナス側リード線２４ｂにより、それぞれ接続されており、このプラス側リード線２４ａ及びマイナス側リード線２４ｂの一端部が基台側電源２１のプラス極、マイナス極とそれぞれ接続されることにより、全ての基台側端子部２２が基台側電源２１と電気的に接続されるようになっている。
【００２０】
図６（Ａ）は、経時表示シート４を表面から見た状態の一例を示す平面図であり、６（Ｂ）は、経時表示シート４の内部構成を示す平面図である。
各経時表示シート４は、初期状態において、上記基台２の表面に装着されており、使用時には、それぞれ個別に基台２から剥離するように構成されたシート状の経時表示装置である。
【００２１】
経時表示シート４における基台２との接触側の面には貼着層としての接着剤層４１が設けられており、経時表示シート４は、この接着剤層４１を介して基台２上に配置（装着）されている。
各経時表示シート４は、基台２から剥離した後は、接着剤層４１を所望の場所に接着することにより、例えば各種容器やファイル、書類の表紙上等、経時表示シート４によって時間や期間の経過を表示させたい外部対象物に貼着することが可能に構成されている。
なお、経時表示シート４を形成する材料は特に限定されないが、各種の外部対象物に貼着可能なように、例えば柔軟性を有する樹脂等で形成されていることが好ましい。
【００２２】
各経時表示シート４の表面（図４、図５において上側の面）には、日数や時間等を表示する表示手段として液晶表示部４７が設けられている。なお、経時表示シート４の表面であって液晶表示部４７が設けられていない部分には、図６（Ａ）に示すように、イラスト等が描かれていてもよい。
本実施形態において、液晶表示部４７は、液晶パネルを用いた液晶ディスプレイである。なお、表示手段は、液晶ディスプレイに限定されず、例えば有機ＥＬ（Electro Luminescence）パネルを用いたディスプレイ等、各種表示方式のものを適用することも可能である。液晶表示部４７は、後述する制御装置５によって制御される液晶駆動回路４５（図８参照）により駆動するようになっている。
【００２３】
本実施形態では、各経時表示シート４は、予めそれぞれ経時表示可能な経過時間又は経過期間が設定されており、経時表示シート４が基台２の上に装着されている初期状態において、各経時表示シート４の液晶表示部４７には、それぞれの経時表示シート４ごとの経時表示可能な経過時間又は経過期間（すなわち、カウント可能な日数等）が表示されている。
すなわち、例えば、図２等に示す経時表示シート４ａは１０日間の期間（日数）の経過をカウントすることができるように設定されており、基台２の上に装着されている初期状態においては、液晶表示部４７に「１０日」と表示されている。同様に、経時表示シート４ｂであれば「３日」、経時表示シート４ｃであれば「５日」がカウント可能な期間（日数）として設定され、それぞれの日数が液晶表示部４７に表示されている。
【００２４】
そして、後述するように、個々の経時表示シート４が基台２から剥離されると、剥離されてからの経過時間が制御装置５においてカウントされるようになっており、１日（すなわち２４時間）経過するごとに液晶表示部４７に表示される残日数が１日ずつ少なくなるように減算表示（すなわち、１日ずつのカウントダウン表示）を行うように液晶表示部４７による表示が制御されるようになっている。なお、本実施形態では、経時表示シート４が基台２から剥離されカウントが開始されると、基台２上に装着されていたときとは異なる色で残日数が液晶表示部４７に表示されるようになっている。
【００２５】
また、本実施形態では、カウント可能な日数が経過するまでの時間又は期間（残日数）が「０」になると、液晶表示部４７に表示される文字の色が変化するようになっている。すなわち、例えば、カウント可能な日数が「１０日」である場合に、基台２から剥離した際には液晶表示部４７に黒色の文字で残日数（１０日）が表示され（例えば、図１１（Ａ）では「１０日」）、その後、１日経過するごとに残日数が減算表示されていき（例えば、図１１（Ｂ）では「３日」と表示され、７日間経過後の状態を示している。）、カウント可能な日数が経過するまでの時間又は期間（残日数）が「０」になると赤色の文字で残日数「０日」（例えば、図１１（Ｃ）参照）が表示される。
なお、本実施形態では、カウント可能な日数が経過するまでの時間又は期間（残日数）が「０」になり、その日を経過しても、液晶表示部４７はシート側電源４４の充電容量がある限り「０」を表示し続けるようになっており、シート側電源４４の充電容量がなくなったときに液晶表示部４７の表示が消える。
【００２６】
経時表示シート４における基台２との接触側の面であって、基台側端子部２２に対応する位置には、それぞれ装置側端子部としてのシート側端子部４２が設けられている。シート側端子部４２は、基台２のプラス極側の基台側端子部２２a、マイナス極側の基台側端子部２２ｂに対応して、プラス極側のシート側端子部４２a、マイナス極側のシート側端子部４２ｂが一対１組となって配置されている。なお、本実施形態において単に「シート側端子部４２」というときは、「プラス極側のシート側端子部４２a」「マイナス極側のシート側端子部４２ｂ」の双方を含むものとする。
【００２７】
また、経時表示シート４内には、柔軟性を有するシート状に形成されたフレキシブルな配線基板４３が設けられており、シート側端子部４２は、この配線基板４３上に配置されている。
配線基板４３上には、経時表示シート４の各部に電力を供給するシート側電源４４、液晶表示部４７を動作させる液晶駆動回路、経時表示シート４の各部を制御する制御装置５等、各種の電子部品が実装されている。
【００２８】
シート側電源４４は、リード線４８を介して液晶駆動回路４５や、制御装置５等、経時表示シート４の各部と電気的に接続されて、経時表示シート４の各部に電力を供給する装置側電源供給手段である。
シート側電源４４は、シート側端子部４２とリード線４９を介して電気的に接続されており、経時表示シート４が基台２に装着された状態において基台側端子部２２を介して基台側電源２１から供給された電力がシート側端子部４２及びリード線４９を介してシート側電源４４に供給され、この電力により充電されるようになっている。
経時表示シート４は、基台２上に装着されている間は、基台側電源２から供給される電力によって液晶表示部４７等の駆動が行われるとともに、シート側電源４４の充電が行われる。そして、経時表示シート４が基台２から剥離されると、経時表示シート４の各部は、シート側電源４４の充電容量がなくなるまでシート側電源４４の電力によって動作する。
【００２９】
シート側電源４４は、例えば基準電圧が２．５Ｖ程度のものであり、例えば、ニッカド電池、ニッケル水銀電池、リチウムイオン電池、アルカリ蓄電池等の各種二次電池や、コンデンサ等で構成されている。なお、シート側電源４４は、小型で充電可能なものであればよく、ここに例示したものに限定されない。
【００３０】
次に、図８を参照しつつ、本実施形態の制御構成について説明する。図８は、本実施形態における経時表示シート４の制御構成を示す要部ブロック図である。
【００３１】
本実施形態の制御装置５は、ＣＰＵ（Central Processing Unit）等を備える制御部５１と、記憶部としてのＲＯＭ（Read Only Memory）５２、ＲＡＭ（Random Access Memory)５３等を備えてなるコンピュータである。
ＲＯＭ５２等の記憶手段には、例えば液晶表示部４７の表示を制御するための表示制御プログラム等、経時表示シート４の各部を動作させるための各種プログラムが格納されている。また、ＲＯＭ５２には、液晶表示部４７に表示させる残日数等の画像のデータ（以下「数字・文字データ５２ａ」という。）や、剥離検知部５６が経時表示シート４の基台２からの剥離を検出する際の基準（閾値）となる値等が記憶されている。なお、ＲＯＭ５２に記憶されているデータはこれに限定されず、例えば、液晶表示部４７に数字や文字のみならず、背景やキャラクタ画像等も表示させる場合には、これらの画像データも記憶される。
また、ＲＡＭ５３は、各種処理を行うために必要なデータ等を一時的に保存する記憶領域と、各種処理を行う際に制御部がプログラム等を展開する作業領域とを備えている。
【００３２】
本実施形態において、各経時表示シート４の制御装置５には、それぞれ、前述の液晶表示部４７、シート側電源４４の他に、液晶駆動回路４５、剥離検知部５６、タイマ５７等が接続されており、制御装置５は、ＲＯＭ５２等に記憶されている各種プログラムを実行することによりこれらの動作を制御するようになっている。
【００３３】
剥離検知部５６は、例えば、シート側電源４４の電圧値を検知する電圧計である。剥離検知部５６による検知結果は制御装置５に出力されるようになっている。制御装置５の制御部５１は剥離検知部５６から送られたシート側電源４４の電圧値が基準電圧である２．５Ｖを下回ったか否かを判断し、下回った場合には経時表示シート４が基台２から剥離されたと判断する。
本実施形態では、このように、剥離検知部５６と制御装置５によって、経時表示シート４が基台２から剥離されたか否かを検知する剥離検知手段が構成されている。
なお、剥離検知部５６が経時表示シート４の基台２からの剥離の有無を検知する手法は特に限定されず、例えば基台側端子部２２とシート側端子部４２との接触・非接触を物理的に検出することによって経時表示シート４が基台２から剥離されたか否かを検知するものであってもよい。
【００３４】
タイマ５７は、剥離検知手段により経時表示シート４が基台２から剥離されたと検知されると、その時点から計時を開始する計時手段である。
タイマ５７は、別途も受けられているものに限定されず、制御装置５に組み込まれているタイマ機能を用いてもよい。
【００３５】
液晶駆動回路４５は、リード線４６を介して液晶表示部４７と接続され、液晶表示部４７に各種表示を行わせるためにその動作を制御する回路である。液晶駆動回路４５は、例えばＬＳＩ（Large Scale Integration）等により構成されている。
本実施形態において、液晶駆動回路４５は、制御装置５からの制御信号に従って液晶表示部４７の動作を制御するようになっており、液晶駆動回路４５と制御装置５とにより、表示制御手段が構成されている。
すなわち、計時手段であるタイマ５７によって計時された結果（すなわち、剥離検知手段が経時表示シート４の基台２からの剥離を検知してからの経過時間）が制御装置５に送られると、制御装置５は、この結果に基づいて、経時表示シート４が基台２から剥離されてからの経過時間又は経過期間を表す表示を液晶表示部４７に表示させるように液晶駆動回路４５に対して制御信号を出力する。
【００３６】
例えば、図１０に示すように、カウント可能日数（すなわち経時表示可能な経過時間又は経過期間）が「１０日」に設定された経時表示シート４ａがユーザにより基台２から剥離されると、剥離されたことを剥離検知手段が検知して、その瞬間からタイマ５７による計時が開始される（図１１（Ａ）参照）。タイマ５７による計時結果は随時制御装置５に送られ、制御装置５は、計時結果が２４時間（すなわち１日）を経過するごとに液晶表示部４７の表示を１日ずつ減算表示するように液晶表示部４７の表示を制御する指示信号を液晶駆動回路４５に出力する。液晶駆動回路４５は、制御装置５から送られた指示信号に従って、液晶表示部４７の表示が変化するように適宜液晶を駆動させる。例えば経時表示シート４ａが基台２から剥離されてから７日が経過すると、カウント可能日数満了まで残り３日であり、液晶表示部４７には残日数として「３日」と表示される（図１１（Ｂ）参照）。そして、経時表示シート４ａが基台２から剥離されてから１０日が経過し、カウント可能日数が「０日」となると、制御装置５は、液晶表示部４７に赤字等それまでとは異なる色で「０日」を表示させるように液晶駆動回路４５に指示信号を出力する。液晶駆動回路４５はこれにしたがって液晶表示部４７の液晶を駆動させ、液晶表示部４７に赤字で「０日」を表示させるようになっている（図１１（Ｃ）参照）。
【００３７】
次に、本実施形態における貼着式経時表示ユニット１の作用について説明する。
【００３８】
まず、貼着式経時表示ユニット１を製造するときには、基台２に基台側電源２１を収容する電源収容部２３と、基台２上に配置される経時表示シート４の数に応じた基台側端子部２２とを設ける。そして、プラス極側の基台側端子部２２a同士をプラス側リード線２４ａでつなぎ、マイナス極側の基台側端子部２２ｂ同士をマイナス側リード線２４ｂでつなぐ。プラス側リード線２４ａ及びマイナス側リード線２４ｂの一端部は電源収容部２３内に配置し、電源収容部２３内に基台側電源２１が収容された際に、プラス側リード線２４ａの端部が基台側電源２１のプラス極に、マイナス側リード線２４ｂの端部が基台側電源２１のマイナス極にそれぞれ接続されるようにする（図３（Ａ）参照）。
次に、それぞれカウント可能日数が設定された経時表示シート４ａから４ｃを、各経時表示シート４のプラス極側のシート側端子部４２aが対応する基台２のプラス極側の基台側端子部２２aと接触し、マイナス極側のシート側端子部４２ｂが対応する基台２のマイナス極側の基台側端子部２２ｂと接触するように位置を合わせて基台２上に配置する（図２参照）。
そして、電源収容部２３に基台２の裏面側から基台側電源２１を収容する。これによって、当該基台２上に配置された各経時表示シート４ａから４ｃのシート側電源４４に基台側電源２１から電力が供給され、シート側電源４４の充電が開始される。また、基台側電源２１から供給される電力によって各経時表示シート４ａから４ｃの液晶表示部４７等が動作し、それぞれ当該経時表示シート４について予め設定されているカウント可能日数を液晶表示部４７に表示させる。これにより、ユーザは各経時表示シート４のカウント可能日数を目視にて確認することができる。
【００３９】
次に、図９から図１１（Ａ）〜（Ｃ）を参照しつつ、本実施形態における経時表示処理について説明する。経時表示処理は、制御装置５とＲＯＭ５２等に格納されている各種プログラムとが協働することにより実行されるものである。
【００４０】
個々の経時表示シート４を使用する場合には、ユーザは、所望のカウント可能日数の経時表示シート４を選んで基台から剥離する（図１０参照）。例えば、１０日後に提出期限となる会議資料に経時表示シート４を貼着して期限管理に用いたい場合には、カウント可能日数が「１０日」である経時表示シート４ａを基台２から剥離して、図示しない外部対象物である資料ファイルの表紙等に接着剤層４１を貼り付けることにより貼着する。
【００４１】
図９に示すように、制御装置５は、経時表示シート４が基台２から剥離されたか否かを常に判断する（ステップＳ１）。具体的には、シート側電源４４の電圧値が剥離検知部５６により検知されて制御装置５に送られるようになっており、制御装置５は、その検知結果が所定の閾値（本実施形態では例えば２．５Ｖ）を下回っているか否かを判断する。そして、剥離された（すなわち、剥離検知部５６による検知結果が所定の閾値を下回っている）と判断した場合（ステップＳ１；ＹＥＳ）には、タイマ５７を作動させ、経時表示シート４が基台２から剥離された時点からの経過時間を計時させる（ステップＳ２）。それと同時に、液晶駆動回路４５に指示信号を出力して、液晶表示部４７に経時表示（カウントダウン表示）を開始させるように液晶表示部４７の表示を制御する。経時表示が開始されると、液晶表示部４７に表示される残日数表示の文字色が基台２上に載置されていたときとは異なる色に変化する（ステップＳ３、図１０及び図１１（Ａ）参照）。なお、このような文字色の変化は本発明の必須の要素ではなく、文字色を変化させない構成とすることもできる。
他方、経時表示シート４が基台２から剥離されていないと判断した場合（ステップＳ１；ＮＯ）にはステップＳ１の判断を繰り返す。
【００４２】
経時表示シート４が基台２から剥離されたと判断されて液晶表示部４７による経時表示（カウントダウン表示）が開始されると、制御装置５は、経時表示シート４が基台２から剥離されてから２４時間（すなわち１日）が経過したかを常に判断する（ステップＳ４）。具体的には、制御装置５はタイマ５７による計時結果から経過時間を判断する。そして、２４時間経過していないとき（ステップＳ４；ＮＯ）はこの判断を繰り返す。
他方、経時表示シート４が基台２から剥離されてから２４時間経過したと判断した場合（ステップＳ４；ＹＥＳ）には、制御装置５は、さらに経時表示シート４が基台２から剥離されてから当該経時表示シート４のカウント可能日数（すなわち、経時表示シート４ａであれば「１０日」）が経過したかを常に判断する（ステップＳ５）。具体的には、制御装置５はタイマ５７による計時結果から経時表示シート４が基台２から剥離されてからの経過時間を判断し、これが当該経時表示シート４のカウント可能日数に達しているかを判断する。
そして、当該経時表示シート４のカウント可能日数を経過していないとき（ステップＳ５；ＮＯ）は、液晶表示部４７に残日数を１日減算して表示させるように液晶駆動回路４５に指示信号を出力し、液晶表示部４７の表示を制御する（ステップＳ６）。この場合には、制御装置５は、さらに２４時間（すなわち１日）が経過したかを常に判断し（ステップＳ７）、２４時間経過していないとき（ステップＳ７；ＮＯ）はこの判断を繰り返す。なお、図１１（Ｂ）には、このように経時表示シート４ａの液晶表示部４７に表示される残日数を順次減算していき、残日数が「３日」となった状態を示している。
他方、液晶表示部４７に表示させる残日数を１日減算してからさらに２４時間（すなわち１日）が経過したと判断した場合（ステップＳ７；ＹＥＳ）には、制御装置５は、ステップ５に戻って、経時表示シート４が基台２から剥離されてから当該経時表示シート４のカウント可能日数（すなわち、経時表示シート４ａであれば「１０日」）が経過したかを常に判断する。
そして、経時表示シート４が基台２から剥離されてから当該経時表示シート４のカウント可能日数が経過したと判断する場合（ステップＳ５；ＹＥＳ）には、液晶表示部４７に表示させる残日数を「０日」とし、この「０日」を液晶表示部４７に赤字で表示させるように液晶駆動回路４５に指示信号を出力し、液晶表示部４７に残日数「０日」を赤字で表示させ（ステップＳ８）、一連の処理を終了する。
残日数「０日」の表示は、カウント可能日数が経過した後もシート側電源４４の充電容量がなくなるまで続けられ、シート側電源４４の充電容量がなくなったときに表示が消える。
【００４３】
以上のように、本実施形態によれば、経時表示シート４を基台２から剥離するだけでタイマ５７による計時が開始され、タイマ５７によって計時された結果に基づいて、経時表示シート４が基台２から剥離されてからの経過時間又は経過期間を表す表示、すなわち、カウント可能日数経過までの残日数が液晶表示部４７に表示される。このため、ユーザはスイッチ操作やタイマのセット操作等を行うことなく、簡易に経過時間又は経過期間を経時表示シート４の液晶表示部４７に表示させて確認することができる。
また、経時表示シート４は、提出期限のある会議資料や賞味期限のある食料品等の外部対象物に貼着することができる貼着層として接着剤層４１を有しているため、ユーザが経過時間又は経過期間を知りたい対象物に経時表示シート４を貼着することができる。このため、ユーザは経時表示シート４を基台２から剥離して対象物に貼り付けるという簡単な動作をするだけで、当該対象物の期限日までの残日数を知ることができ、容易に期限管理等を行うことが可能となる。
また、経時表示シート４を複数備えており、基台２には、この経時表示シート４の数に対応してその全てが基台側電源２１と電気的に接続と接続されている複数の基台側端子部２２が設けられているため、各種の対象物について複数の期限を管理したいときにも１つの貼着式経時表示ユニット１で対応することができる。
また、経時表示シート４は、それぞれ予め経時表示可能な経過時間又は経過期間（すなわち、カウント可能な日数）が設定され、経時表示シート４が基台２上に装着されている初期状態において、液晶表示部４７に当該経時表示シート４の経時表示可能な経過時間又は経過期間（カウント可能な日数）が表示されている。このため、ユーザは、貼着式経時表示ユニット１を見るだけで、期限管理を行いたい対象物の期限までの日数に応じた適切な経時表示シート４を選択することができる。
そして、経時表示シート４を基台２から剥離すると、剥離されてから当該経時表示シート４の経時表示可能な経過時間又は経過期間（カウント可能な日数）が経過するまでの時間又は期間（残日数）が液晶表示部４７に減算表示されるため、ユーザは何ら煩雑な操作を行うことなく、期限までの残日数を知ることができる。
【００４４】
なお、本発明が上記本実施形態に限らず適宜変更可能であるのは勿論である。
【００４５】
例えば、本実施形態では、経時表示シート４に貼着層として接着剤層４１を備える構成を例示しているが、貼着層は接着剤層４１に限定されず、例えば貼着層としてシート状のマグネット等を備え、外部対象物としての金属製品に貼着可能に構成されていてもよい。このように、貼着層としてマグネットシート等を用いた場合には、経時表示シート４の貼り替えや移動等を容易に行うことができて便宜である。
【００４６】
また、本実施形態では、カウント可能な日数が経過するまでの時間又は期間（残日数）が「０」になったときに、液晶表示部４７に表示される文字の色を変化させる場合を例としたが、液晶表示部４７に表示される残日数を表す文字の色の変化はここに例示したものに限定されない。例えば、カウント可能な日数が「１０日」である場合に、基台２から剥離した際には黒色の文字で残日数が表示され、カウント可能な日数の半分である５日が経過するとオレンジ色の文字になり、カウント可能な日数が経過するまでの時間又は期間（残日数）が「０」になると赤色の文字になる等、一定の日数が経過するごとに少しずつ色が変化するようにしてもよい。また、文字の色だけでなく、文字の大きさ、レイアウト等が変化するように構成してもよい。さらに、カウント可能な日数が経過するまでの時間又は期間（残日数）が「０」になると文字が点滅するようにしてもよい。また、期間の経過とともに、残日数以外の背景画像が変化するように構成してもよい。
【００４７】
また、本実施形態では、各経時表示シート４は使い捨てとされ、シート側電源４４の充電容量がなくなると液晶表示部４７等が動作しなくなる構成となっているが、例えば、一端基台２から剥離し、外部対象物に貼着して使用した後も再度基台２上に装着し基台側端子部２２を介して基台側電源２１から電力を供給すると、液晶表示部４７の表示等がリセットされて、再使用可能となるように構成してもよい。
【００４８】
また、本実施形態では、１日単位で減算表示（カウントダウン）が行われるようにしたが減算表示（カウントダウン）の単位はこれに限定されない。
例えば、１週間や１ヶ月単位としてもよいし、１日単位で減算表示（カウントダウン）を行う場合でも、残日数が「１日」となった場合等、期限日が迫ってくると、時間単位で減算表示（カウントダウン）が行われるようにしてもよい。
【００４９】
また、本実施形態では、貼着式経時表示ユニット１として基台２上にほぼ四角形状の同形の経時表示シート４が複数装着されている例を示したが、経時表示シート４の形状は四角形状に限定されず、例えば、図１２（Ａ）に示すような家の形状をしたものや、図１２（Ｂ）に示すようなカエル等のキャラクタの形状をしたものであってもよい。また、１つの基台２上に装着される経時表示シート４はそれぞれ異なる形状をしていてもよい。
【００５０】
また、本実施形態では、貼着式経時表示ユニットとして基台上に複数の経時表示シート４が一列に３つ並んで配置されている例を示したが、経時表示シート４の配置や数、大きさ等は特に限定されない。
例えば、図１３（Ａ）に示す貼着式経時表示ユニット１０のように、基台６上に互い違いに複数の経時表示シート７が配置されていてもよい。
また、本実施形態では、経時表示シート４の表面の一部に液晶表示部が設けられている場合を例としたが、液晶表示部の設けられる範囲や大きさ、形状等は特に限定されない。
例えば、図１３（Ａ）から図１３（Ｃ）に示すように、経時表示シート７の表面全面に液晶表示部が設けられていてもよい。この場合も、経時表示シート７を基台６から剥離すると、経時表示シート７の液晶表示部７１には、基台６に装着されていたときとは異なる色の文字でカウント可能日数が表示され（図１３（Ａ）参照）、剥離から日数が経つにしたがって液晶表示部７１に表示される残日数が減算されていく（図１３（Ｂ）参照）。そして、残日数が「０日」となると、液晶表示部７１に赤字等の異なる色の文字で「０日」が表示される（図１３（Ｃ）参照）。
【００５１】
なお、その他、本発明が上記各実施形態に限らず適宜変更可能であるのは勿論である。
【符号の説明】
【００５２】
１      貼着式経時表示ユニット
２      基台
４      経時表示シート
５      制御装置
２１    基台側電源
２２    基台側端子部
４１    接着剤層
４２    シート側端子部
４４    シート側電源
４５    液晶駆動回路
４７    液晶表示部
５６    剥離検知部
５７    タイマ
【図１】
0005541140.tif 000002
【図２】
0005541140.tif 000003
【図３】
0005541140.tif 000004
【図４】
0005541140.tif 000005
【図５】
0005541140.tif 000006
【図６】
0005541140.tif 000007
【図７】
0005541140.tif 000008
【図８】
0005541140.tif 000009
【図９】
0005541140.tif 000010
【図１０】
0005541140.tif 000011
【図１１】
0005541140.tif 000012
【図１２】
0005541140.tif 000013
【図１３】
0005541140.tif 000014